【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
ファクシミリ送信を含む送信手段を備える画像形成装置であって、
送信文書を記憶する記憶手段と、
前記記憶手段の記憶容量状況を監視し、前記記憶容量の状況がメモリフルになった場合は、前記送信手段による送信を調節して、前記送信文書の管理を行う管理手段と、を備えることを特徴とする画像形成装置。
【請求項２】
前記調節は、送信を一時中断し、前記記憶手段により記憶できる状態になるまで待機することを特徴とする請求項１記載の画像形成装置。
【請求項３】
送信状況などの情報を表示する表示手段を備え、
前記管理手段は、前記送信文書が不達文書となったかどうか監視し、
前記表示手段は、前記管理手段により不達文書が発生したことが確認された場合は、未送信結果を表示することを特徴とする請求項１又は２記載の画像形成装置。
【請求項４】
前記未送信結果は、前記不達文書の宛名名、ＦＡＸ番号、文書枚数、時刻情報等の設定情報や、不達原因の情報であることを特徴とする請求項３記載の画像形成装置。
【請求項５】
前記不達文書の後処理を選択する後処理選択手段を備えることを特徴とする請求項３又は４記載の画像形成装置。
【請求項６】
前記後処理選択手段は、前記不達文書を再び送信する再送信、前記不達文書の宛先変更、送信の取消し、前記不達文書の保持時間や削除時間の各種設定、前記不達文書の再送信をする場合はその時刻指定、であることを特徴とする請求項５記載の画像形成装置。
【請求項７】
前記送信手段による送信結果のログを保存するログ保存手段と、
前記ログを転送する転送手段と、を備えることを特徴とする請求項１から６のいずれか１項に記載の画像形成装置。
【請求項８】
請求項１から７のいずれか１項に記載の画像形成装置と、ＰＣと、公衆回線とが、ネットワークを介して接続している画像形成システムであって、
前記ＰＣは、
送信文書を生成する文書生成手段と、
前記生成した送信文書を、前記画像形成装置に送信する送信手段と、を備え、
前記画像形成装置の前記転送手段は、前記ログを前記ＰＣに転送することを特徴とする画像形成システム。
【請求項９】
ファクシミリ送信を含む送信工程を備える画像形成装置の制御方法であって、
送信文書を記憶する記憶工程と、
前記記憶工程の記憶容量状況を監視し、前記記憶容量の状況がメモリフルになった場合は、前記送信工程による送信を調節して、前記送信文書の管理を行う管理工程と、を備えることを特徴とする画像形成装置の制御方法。
【請求項１０】
前記調節は、送信を一時中断し、前記記憶工程により記憶できる状態になるまで待機することを特徴とする請求項９記載の画像形成装置の制御方法。
【請求項１１】
送信状況などの情報を表示する表示工程を備え、
前記管理工程は、前記送信文書が不達文書となったかどうか監視し、
前記表示工程は、前記管理工程により不達文書が発生したことが確認された場合は、未送信結果を表示することを特徴とする請求項９又は１０記載の画像形成装置の制御方法。
【請求項１２】
前記未送信結果は、前記不達文書の宛名名、ＦＡＸ番号、文書枚数、時刻情報等の設定情報や、不達原因の情報であることを特徴とする請求項１１記載の画像形成装置の制御方法。
【請求項１３】
前記不達文書の後処理を選択する後処理選択工程を備えることを特徴とする請求項１１又は１２記載の画像形成装置の制御方法。
【請求項１４】
前記後処理選択工程は、前記不達文書を再び送信する再送信、前記不達文書の宛先変更、送信の取消し、前記不達文書の保持時間や削除時間の各種設定、前記不達文書の再送信をする場合はその時刻指定、であることを特徴とする請求項１３記載の画像形成装置の制御方法。
【請求項１５】
前記送信工程による送信結果のログを保存するログ保存工程と、
前記ログを転送する転送工程と、を備えることを特徴とする請求項９から１４のいずれか１項に記載の画像形成装置の制御方法。
【請求項１６】
ファクシミリ送信を含む送信処理をコンピュータに実行させる画像形成装置の制御プログラムであって、
送信文書を記憶処理と、
前記記憶処理の記憶容量状況を監視し、前記記憶容量の状況がメモリフルになった場合は、前記送信処理による送信を調節して、前記送信文書の管理を行う管理処理と、
をコンピュータに実行させることを特徴とする画像形成装置の制御プログラム。
【請求項１７】
請求項１６記載の制御プログラムの処理を記録するコンピュータ読取り可能な記録媒体。
【手続補正２】
【補正対象書類名】明細書
【補正対象項目名】発明の名称
【補正方法】変更
【補正の内容】
【発明の名称】画像形成装置、画像形成システム、画像形成装置の制御方法、プログラム及び記録媒体
【手続補正３】
【補正対象書類名】明細書
【補正対象項目名】００１０
【補正方法】変更
【補正の内容】
【００１０】
請求項１記載の発明は、ファクシミリ送信を含む送信手段を備える画像形成装置であって、送信文書を記憶する記憶手段と、前記記憶手段の記憶容量状況を監視し、前記記憶容量の状況がメモリフルになった場合は、前記送信手段による送信を調節して、前記送信文書の管理を行う管理手段と、を備えることを特徴とする画像形成装置である。
【手続補正４】
【補正対象書類名】明細書
【補正対象項目名】００１１
【補正方法】変更
【補正の内容】
【００１１】
請求項２記載の発明は、請求項１記載の装置において、前記調節は、送信を一時中断し、前記記憶手段により記憶できる状態になるまで待機することを特徴とする。
【手続補正５】
【補正対象書類名】明細書
【補正対象項目名】００１２
【補正方法】変更
【補正の内容】
【００１２】
請求項３記載の発明は、請求項１又は２記載の装置において、送信状況などの情報を表示する表示手段を備え、前記管理手段は、前記送信文書が不達文書となったかどうか監視し、前記表示手段は、前記管理手段により不達文書が発生したことが確認された場合は、未送信結果を表示することを特徴とする。
【手続補正６】
【補正対象書類名】明細書
【補正対象項目名】００１３
【補正方法】変更
【補正の内容】
【００１３】
請求項４記載の発明は、請求項３記載の装置において、前記未送信結果は、前記不達文書の宛名名、ＦＡＸ番号、文書枚数、時刻情報等の設定情報や、不達原因の情報であることを特徴とする。
【手続補正７】
【補正対象書類名】明細書
【補正対象項目名】００１４
【補正方法】変更
【補正の内容】
【００１４】
請求項５記載の発明は、請求項２又は３記載の装置において、前記不達文書の後処理を選択する後処理選択手段を備えることを特徴とする。
【手続補正８】
【補正対象書類名】明細書
【補正対象項目名】００１５
【補正方法】変更
【補正の内容】
【００１５】
請求項６記載の発明は、請求項５記載の装置において、前記後処理選択手段は、前記不達文書を再び送信する再送信、前記不達文書の宛先変更、送信の取消し、前記不達文書の保持時間や削除時間の各種設定、前記不達文書の再送信をする場合はその時刻指定、であることを特徴とする。
【手続補正９】
【補正対象書類名】明細書
【補正対象項目名】００１６
【補正方法】変更
【補正の内容】
【００１６】
請求項７記載の発明は、請求項１から６のいずれか１項に記載の装置において、前記送信手段による送信結果のログを保存するログ保存手段と、前記ログを転送する転送手段と、を備えることを特徴とする。
【手続補正１０】
【補正対象書類名】明細書
【補正対象項目名】００１７
【補正方法】変更
【補正の内容】
【００１７】
請求項８記載の発明は、請求項１から７のいずれか１項に記載の画像形成装置と、ＰＣと、公衆回線とが、ネットワークを介して接続している画像形成システムであって、前記ＰＣは、送信文書を生成する文書生成手段と、前記生成した送信文書を、前記画像形成装置に送信する送信手段と、を備え、前記画像形成装置の前記転送手段は、前記ログを前記ＰＣに転送することを特徴とする画像形成システムである。
【手続補正１１】
【補正対象書類名】明細書
【補正対象項目名】００１８
【補正方法】変更
【補正の内容】
【００１８】
請求項９記載の発明は、ファクシミリ送信を含む送信工程を備える画像形成装置の制御方法であって、送信文書を記憶する記憶工程と、前記記憶工程の記憶容量状況を監視し、前記記憶容量の状況がメモリフルになった場合は、前記送信工程による送信を調節して、前記送信文書の管理を行う管理工程と、を備えることを特徴とする画像形成装置の制御方法である。
【手続補正１２】
【補正対象書類名】明細書
【補正対象項目名】００１９
【補正方法】変更
【補正の内容】
【００１９】
請求項１０記載の発明は、請求項９記載の方法において、前記調節は、送信を一時中断し、前記記憶工程により記憶できる状態になるまで待機することを特徴とする。
【手続補正１３】
【補正対象書類名】明細書
【補正対象項目名】００２０
【補正方法】変更
【補正の内容】
【００２０】
請求項１１記載の発明は、請求項９又は１０記載の方法において、送信状況などの情報を表示する表示工程を備え、前記管理工程は、前記送信文書が不達文書となったかどうか監視し、前記表示工程は、前記管理工程により不達文書が発生したことが確認された場合は、未送信結果を表示することを特徴とする。
【手続補正１４】
【補正対象書類名】明細書
【補正対象項目名】００２１
【補正方法】変更
【補正の内容】
【００２１】
請求項１２記載の発明は、請求項１１記載の方法において、前記未送信結果は、前記不達文書の宛名名、ＦＡＸ番号、文書枚数、時刻情報等の設定情報や、不達原因の情報であることを特徴とする。
【手続補正１５】
【補正対象書類名】明細書
【補正対象項目名】００２２
【補正方法】変更
【補正の内容】
【００２２】
請求項１３記載の発明は、請求項１１又は１２記載の方法において、前記不達文書の後処理を選択する後処理選択工程を備えることを特徴とする。
【手続補正１６】
【補正対象書類名】明細書
【補正対象項目名】００２３
【補正方法】変更
【補正の内容】
【００２３】
請求項１４記載の発明は、請求項１３記載の方法において、前記後処理選択工程は、前記不達文書を再び送信する再送信、前記不達文書の宛先変更、送信の取消し、前記不達文書の保持時間や削除時間の各種設定、前記不達文書の再送信をする場合はその時刻指定、であることを特徴とする。
【手続補正１７】
【補正対象書類名】明細書
【補正対象項目名】００２４
【補正方法】変更
【補正の内容】
【００２４】
請求項１５記載の発明は、請求項９から１４のいずれか１項に記載の方法において、前記送信工程による送信結果のログを保存するログ保存工程と、前記ログを転送する転送工程と、を備えることを特徴とする。
【手続補正１８】
【補正対象書類名】明細書
【補正対象項目名】００２５
【補正方法】変更
【補正の内容】
【００２５】
請求項１６記載の発明は、ファクシミリ送信を含む送信処理をコンピュータに実行させる画像形成装置の制御プログラムであって、送信文書を記憶処理と、前記記憶処理の記憶容量状況を監視し、前記記憶容量の状況がメモリフルになった場合は、前記送信処理による送信を調節して、前記送信文書の管理を行う管理処理と、をコンピュータに実行させることを特徴とする画像形成装置の制御プログラムである。
【手続補正１９】
【補正対象書類名】明細書
【補正対象項目名】００２６
【補正方法】変更
【補正の内容】
【００２６】
請求項１７記載の発明は、請求項１６記載の制御プログラムの処理を記録するコンピュータ読取り可能な記録媒体である。